(57)【要約】【課題】簡易な構成で背もたれ部の後倒を規制することができる椅子を提供する。【解決手段】椅子１０は、座部１８と背もたれ部２０とを備え、着座者３００の大腿部３０２が前方に向かって下方に傾斜した状態で大腿部３０２と体幹３０４とのなす角度θを鈍角に保持可能に構成されている。背もたれ部２０は、後方へ負荷が作用することによって後倒可能であり、且つ負荷を除去又は低減することによって前方に戻るように構成されている。椅子１０は、背もたれ部２０から左右方向の外方に突出した突出部５２と、突出部５２に接触することによって背もたれ部２０の後倒を規制する規制部５４と、を備える。【選択図】図１
2018166710.tif 000002
【特許請求の範囲】
【請求項１】
座部と背もたれ部とを備え、着座者の大腿部が前方に向かって下方に傾斜した状態で前記大腿部と体幹とのなす角度を鈍角に保持可能な椅子であって、
前記背もたれ部は、後方へ負荷が作用することによって後倒可能であり、且つ前記負荷を除去又は低減することによって前方に戻るように構成され、
前記背もたれ部から左右方向の外方に突出した突出部と、
前記突出部に接触することによって前記背もたれ部の後倒を規制する規制部と、を備える、
ことを特徴とする椅子。
【請求項２】
請求項１記載の椅子において、
前記背もたれ部に後方への負荷を作用させていない状態で前記背もたれ部を前記座部に対して複数の角度位置で保持することが可能な位置調整部を備える、
ことを特徴とする椅子。
【請求項３】
請求項１記載の椅子において、
前記座部に対して前倒する方向に前記背もたれ部を付勢する付勢部材を備える、
ことを特徴とする椅子。
【発明の詳細な説明】
【技術分野】
【０００１】
本発明は、座部と背もたれ部とを備え、着座者の大腿部が前方に向かって下方に傾斜した状態で前記大腿部と体幹とのなす角度を鈍角に保持可能な椅子に関する。
【背景技術】
【０００２】
例えば、特許文献１には、座面の前端が下方に傾斜するように座部と背もたれ部とのなす角度を鈍角に保持することが可能な椅子が開示されている。また、特許文献１には、座部と背もたれ部との相互の角度位置を空気シリンダーで固定することが記載されている。
【先行技術文献】
【特許文献】
【０００３】
【特許文献１】特表昭６３−５０３２８４号公報
【発明の概要】
【発明が解決しようとする課題】
【０００４】
本発明者は、鋭意検討を重ね、着座者の大腿部が前方に向かって下方に傾斜した状態で大腿部と体幹とのなす角度を鈍角に保持した場合、着座者の骨盤が起立し易くなり、その結果、胸郭を広げて深い呼吸をし易くなるため脳に十分な酸素を送ることができ、着座者の集中力を高めることができることを見出した。
【０００５】
上述した特許文献１のような従来技術では、座部と背もたれ部との相互の角度位置を空気シリンダーで固定することによって背もたれ部の後倒を規制しているため、構造が複雑化するという問題がある。
【０００６】
本発明は、このような課題を考慮してなされたものであり、簡易な構成で背もたれ部の後倒を規制することができる椅子を提供することを目的とする。
【課題を解決するための手段】
【０００７】
上記目的を達成するために、本発明に係る椅子は、座部と背もたれ部とを備え、着座者の大腿部が前方に向かって下方に傾斜した状態で前記大腿部と体幹とのなす角度を鈍角に保持可能な椅子であって、前記背もたれ部は、後方へ負荷が作用することによって後倒可能であり、且つ前記負荷を除去又は低減することによって前方に戻るように構成され、前記背もたれ部から左右方向の外方に突出した突出部と、前記突出部に接触することによって前記背もたれ部の後倒を規制する規制部と、を備えることを特徴とする。
【０００８】
このような構成によれば、背もたれ部に設けられた突出部が規制部に接触することによって簡易な構成で背もたれ部の後倒を規制することができる。
【０００９】
上記の椅子において、前記背もたれ部に後方への負荷を作用させていない状態で前記背もたれ部を前記座部に対して複数の角度位置で保持することが可能な位置調整部を備えていてもよい。
【００１０】
このような構成によれば、後方への負荷を作用させていない状態で背もたれ位置を着座者の好みに応じて調整することができる。
【００１１】
上記の椅子において、前記座部に対して前倒する方向に前記背もたれ部を付勢する付勢部材を備えていてもよい。
【００１２】
このような構成によれば、背もたれ部の後方への負荷を低減することによって、付勢部材の付勢力によって背もたれ部を前方に容易に戻すことができる。
【発明の効果】
【００１３】
本発明によれば、背もたれ部に設けられた突出部が規制部に接触することによって簡易な構成で背もたれ部の後倒を規制することができる。
【図面の簡単な説明】
【００１４】
【図１】本発明の一実施形態に係る椅子の斜視図である。
【図２】前記椅子の縦断面図である。
【図３】図３Ａは前記椅子の座部及び基部の横断面図であり、図３Ｂは前記椅子の背もたれ部の横断面図である。
【図４】使用者が前記椅子に着座した状態を説明する側面図である。
【図５】背もたれ位置の変更を説明するための一部省略側面図である。
【図６】背もたれ部の限界後倒位置の変更を説明するための一部省略側面図である。
【発明を実施するための形態】
【００１５】
以下、本発明に係る椅子について好適な実施形態を挙げ、添付の図面を参照しながら説明する。以下の実施形態に示す椅子は、学校等で学習机と組み合わせて好適に用いることができるものである。ただし、椅子は、任意の用途に用いることができる。
【００１６】
図１に示すように、本発明の一実施形態に係る椅子１０は、２本の前脚１２と、２本の後脚１４と、前脚１２及び後脚１４に支持された基部１６と、基部１６に設けられた座部１８と、座部１８に設けられた背もたれ部２０とを備える。
【００１７】
前脚１２は、上下方向に延在しており、横断面がＵ字状に形成されている。前脚１２には、上下方向に沿って複数の高さ調整孔２２が等間隔に形成されている。前脚１２の構成材料としては、例えば、金属、硬質樹脂、木材等が挙げられる。後脚１４は、前脚１２よりも上下方向に長く形成されている点以外、前脚１２と同様に構成されている。
【００１８】
前後方向に並ぶ前脚１２と後脚１４とは、補強部材２４によって連結されている。補強部材２４は、ボルト２５ａを補強部材２４に形成された図示しない挿通孔と高さ調整孔２２とに挿通させた状態でナット２５ｂに螺合させることによって前脚１２及び後脚１４のそれぞれに対して固定される。補強部材２４の高さ位置は、高さ調整孔２２に合わせて任意に変更可能である。
【００１９】
基部１６は、略四角板状に形成されている。基部１６の構成材料としては、例えば、前脚１２の構成材料と同様のものが挙げられる。基部１６には、固定孔２６が形成されている。基部１６は、４つのブラケット２８によって前脚１２及び後脚１４のそれぞれに固定されている。ブラケット２８は、例えば、図示しないボルトを固定孔２６に螺合することによって基部１６に対して固定されるとともにボルト２９ａを高さ調整孔２２に挿通させた状態でナット２９ｂに螺合させることによって前脚１２又は後脚１４に対して固定される。基部１６は、上面が前方に向かって下方に傾斜するように前脚１２及び後脚１４のそれぞれに対して固定される。
【００２０】
図１及び図２に示すように、座部１８は、基部１６の上面の中央部分に接合された台座３０と、台座３０の上面に設けられた第１クッション部３２と第２クッション部３４とを有する。台座３０の構成材料としては、例えば、前脚１２の構成材料と同じものが挙げられる。台座３０と基部１６は、一体成型品であってもよい。
【００２１】
第１クッション部３２及び第２クッション部３４のそれぞれは、例えば、ウレタン等の柔軟な材料によって構成されている。第１クッション部３２の硬度は、第２クッション部３４の硬度よりも高い。
【００２２】
図１〜図３Ａに示すように、座部１８は、左右方向の中央に位置する座部本体３６と、座部本体３６の左右方向の両側に位置するとともに上方に突出して着座者３００の臀部３０６及び大腿部３０２を両側から支持可能な左右一組の上方延出部３８Ｌ、３８Ｒとを有する（図４参照）。座部本体３６の前方部分は第１クッション部３２を有し、座部本体３６の後方部分は第２クッション部３４を有している。図１及び図２において、座部本体３６の上面である座面３６ａには、着座者３００の臀部３０６を支持する凹部４０が形成されている。凹部４０は、座部本体３６の第２クッション部３４に形成されている。座面３６ａの前端は、座面３６ａの後端よりも下方に位置している。凹部４０及び第１クッション部３２は、着座者３００の着座位置を維持するための着座位置維持部として機能する。
【００２３】
座部１８の台座３０は、左右一組の上方延出部３８Ｌ、３８Ｒの間隔Ｌ１が調整可能に構成されている。具体的には、台座３０は、左右一組の上方延出部３８Ｌ、３８Ｒの間に着座者３００が位置することによって左右一組の上方延出部３８Ｌ、３８Ｒの間隔Ｌ１を押し広げることが可能なように弾性変形可能に構成されている。図１において、上方延出部３８Ｌ、３８Ｒは、座部本体３６の前後方向の全長に亘って延在している。上方延出部３８Ｌ、３８Ｒは、その略全体に亘って第２クッション部３４を有している。
【００２４】
図１及び図３Ｂに示すように、背もたれ部２０は、台座３０に設けられた背板部４２と、背板部４２の前面に設けられたクッション部４４とを有する。背板部４２の構成材料としては、例えば、前脚１２の構成材料と同じものが挙げられる。背板部４２は、台座３０に対して一体的に設けられている。ただし、台座３０に対して分離した状態で背板部４２は、基部１６に設けられていてもよい。クッション部４４は、例えば、ウレタン等の柔軟な材料によって構成されている。クッション部４４の硬度は、第１クッション部３２の硬度よりも低く、第２クッション部３４の硬度と略同じである。
【００２５】
背もたれ部２０は、左右方向の中央に位置する背もたれ部本体４６と、背もたれ部本体４６の左右方向の両側に位置するとともに前方に突出して着座者３００の腰部３０８を両側から支持可能な左右一組の前方延出部４８Ｌ、４８Ｒとを有する（図４参照）。
【００２６】
背もたれ部２０は、左右一組の前方延出部４８Ｌ、４８Ｒの間隔Ｌ２が調整可能に構成されている。具体的には、背もたれ部２０は、左右一組の前方延出部４８Ｌ、４８Ｒの間に着座者３００が位置することによって左右一組の前方延出部４８Ｌ、４８Ｒの間隔Ｌ２を押し広げることが可能なように弾性変形可能に構成されている。前方延出部４８Ｌ、４８Ｒは、背もたれ部本体４６の上方部分に設けられている。
【００２７】
図４に示すように、背もたれ部２０は、後方へ負荷が作用することによって後倒可能であり、且つ負荷を除去又は低減することによって所定の角度位置に戻るように構成されている。すなわち、背もたれ部２０は、台座３０と背板部４２との連結部分が撓むことによって後倒可能に構成されている。
【００２８】
図１及び図４に示すように、椅子１０は、座部１８に対して前倒する方向に背もたれ部２０を付勢する付勢部材５０（図２参照）と、背もたれ部２０から左右方向の外方に突出した突出部５２（ピン）と、突出部５２に接触することによって背もたれ部２０の後倒を規制する規制部５４とを備えている。図２において、付勢部材５０は、略Ｌ字状に形成された板ばねとして構成されている。付勢部材５０の延在方向の一端側は基部１６の上面に固定され、付勢部材５０の延在方向の他端側は背もたれ部２０の背面に固定されている。付勢部材５０は、板ばねに限定されず、ゴム等であってもよい。
【００２９】
図１及び図４に示すように、突出部５２は、背もたれ部２０の座部１８に対する回動軸Ａｘ（図１参照）の近傍に位置している。すなわち、突出部５２は、背もたれ部２０の傾動によって回動軸Ａｘの回りに沿って移動する。規制部５４には、突出部５２が挿通された挿通孔５６が形成されている。挿通孔５６は、背もたれ部２０の傾動に伴う突出部５２の軌跡に沿って円弧状に延在した長孔である。突出部５２は、挿通孔５６の外側まで突出している。挿通孔５６の長さ及び形状は、任意に設定可能である。
【００３０】
規制部５４には、背もたれ部２０に後方への負荷を作用させていない状態で背もたれ部２０を座部１８に対して複数の角度位置で保持することが可能な位置調整部５８が設けられている。位置調整部５８は、規制部５４に回転軸６１を介して設けられたストッパ部６０と、ストッパ部６０を所定の位置に係止するための複数（図示例では３つ）の係止孔６２ａ〜６２ｃとを有する。ストッパ部６０は、例えば、挿通孔５６の延在方向の略中央の下方に位置している。係止孔６２ａ〜６２ｃは、挿通孔５６の上方に位置している。
【００３１】
このように構成された椅子１０は、図４に示すように、着座者３００の大腿部３０２が前方に向かって下方に傾斜した状態で大腿部３０２と体幹３０４とのなす角度θを鈍角に保持することができる。そのため、着座者３００の骨盤が起立し易くなり、その結果、胸郭を広げて深い呼吸をし易くなるため脳に十分な酸素を送ることができ、着座者３００の集中力を高めることができる。
【００３２】
椅子１０では、着座者３００が背もたれ部２０に後方への負荷を作用させると、背もたれ部２０が後倒するととともに突出部５２が挿通孔５６内を円弧状に後方に移動する。そして、挿通孔５６の延在方向の後端に位置する部分を構成する壁面（後端面５６ａ）に突出部５２が接触することによって、背もたれ部２０の後倒が規制される。
【００３３】
図５に示すように、椅子１０は、背もたれ部２０に後倒への負荷を作用させていない状態における背もたれ部２０の座部１８に対する角度位置（背もたれ位置）を変更することができる。具体的には、背もたれ部２０を後倒させた状態でストッパ部６０を回転軸６１に対して回転させてストッパ部６０の図示しない凸部を係止孔６２ｂに嵌合させる。このとき、ストッパ部６０は、挿通孔５６を跨ぐように固定される。その後、背もたれ部２０の後方への負荷を除去又は低減する。
【００３４】
そうすると、背もたれ部２０が前倒するとともに突出部５２が挿通孔５６内を円弧状に前方に移動する。この際、突出部５２のうち挿通孔５６から突出している部分がストッパ部６０に接触するため、背もたれ部２０は、ストッパ部６０を設けない場合の背もたれ位置に比べて後倒した位置に保持されることになる。この状態で、突出部５２は、挿通孔５６を後方に移動可能であるため、背もたれ部２０を後倒させることができる。なお、ストッパ部６０は、係止孔６２ａに嵌合させてもよい。
【００３５】
図６に示すように、椅子１０は、背もたれ部２０の後倒を規制する位置（後倒角度）を変更することができる。具体的には、背もたれ部２０が後倒していない状態でストッパ部６０を回転軸６１に対して回転させてストッパ部６０の図示しない凸部を係止孔６２ｃに嵌合させる。このとき、ストッパ部６０は、挿通孔５６を跨ぐように固定される。これにより、背もたれ部２０を後倒させた際に、突出部５２が後端面５６ａに達することなくストッパ部６０に接触するため、背もたれ部２０の後倒角度を小さくすることができる。なお、ストッパ部６０は、係止孔６２ｂに嵌合させてもよい。
【００３６】
次に、本実施形態に係る椅子１０の効果について説明する。
【００３７】
椅子１０は、座部１８と背もたれ部２０とを備え、着座者３００の大腿部３０２が前方に向かって下方に傾斜した状態で大腿部３０２と体幹３０４とのなす角度θを鈍角に保持可能に構成されている。背もたれ部２０は、後方へ負荷が作用することによって後倒可能であり、且つ負荷を除去又は低減することによって前方に戻るように構成されている。椅子１０は、背もたれ部２０から左右方向の外方に突出した突出部５２と、突出部５２に接触することによって背もたれ部２０の後倒を規制する規制部５４と、を備える
【００３８】
これにより、背もたれ部２０に設けられた突出部５２が規制部５４に接触することによって簡易な構成で背もたれ部２０の後倒を規制することができる。
【００３９】
椅子１０は、背もたれ部２０に後方への負荷を作用させていない状態で背もたれ部２０を座部１８に対して複数の角度位置で保持することが可能な位置調整部５８を備える。これにより、後方への負荷を作用させていない状態で背もたれ位置を着座者３００の好みに応じて調整することができる。
【００４０】
椅子１０は、座部１８に対して前倒する方向に背もたれ部２０を付勢する付勢部材５０を備える。そのため、背もたれ部２０の後方への負荷を低減することによって、付勢部材５０の付勢力によって背もたれ部２０を前方に容易に戻すことができる。
【００４１】
本発明に係る椅子は、上述の実施形態に限らず、本発明の要旨を逸脱することなく、種々の構成を採り得ることはもちろんである。
【符号の説明】
【００４２】
１０…椅子                          １８…座部
２０…背もたれ部                    ５２…突出部
５４…規制部                        ３００…着座者
【図１】
2018166710.tif 000003
【図２】
2018166710.tif 000004
【図３】
2018166710.tif 000005
【図４】
2018166710.tif 000006
【図５】
2018166710.tif 000007
【図６】
2018166710.tif 000008